(57)【要約】    【課題】  従来、接続及び取り外しはワンタッチで可能であり、接続の表示も外部から確認できるものもあるが、構造が複雑なものであった。    【解決手段】本考案は、ハーネスジョイントボックス１において、下ケース１ｂに設けたコイルスプリング５を収納したコイルスプリング収納部１ｂａと、コイルスプリング収納部の外方に設けたコイルスプリング５が当接するスプリング用当接部６ａと電線用当接部６ｂとマーカー押上部６ｃを設けたスライダー６を収納したスライダー収納部１ｂｂと、スライダー収納部の外方に設けた端子金具２から延設させた接触用端子２ａと係止用端子２ｂとを収納する端子収納部１ｂｃと、上ケース１ａに移動可能に設けたマーカー７とマーカー用コイルスプリング７ａとを収納するマーカー収納部１ａａと、係止用端子２ｂの直上に取外用孔８とを備えた。    【選択図】  図３
0003107322.tif 000002
【実用新案登録請求の範囲】
【請求項１】
上ケースと下ケースに三組の端子金具を内装すると共に電源側と送り側に夫々備えた電線挿通孔と少なくとも二組のハーネス栓刃を挿通させる栓刃挿通孔を備えたハーネスジョイントボックスにおいて、前記下ケースの電線挿通孔の延長線上の内方に設けた常時外方方向に弾性を付与するコイルスプリングを収納したコイルスプリング収納部と、該コイルスプリング収納部の外方に設けたコイルスプリングが当接するスプリング用当接部と電線用当接部とマーカー押上部を設けたスライダーを摺動可能に収納したスライダー収納部と、該スライダー収納部の外方に前記電線挿通孔に突出させて設けた前記端子金具から延設させた接触用端子と係止用端子とを収納する端子収納部と、前記上ケースの電線挿通孔の延長線上に上下方向に移動可能に設けたマーカーと該マーカーを常時下方向に弾性を付与したマーカー用コイルスプリングとを収納するマーカー収納部と、前記係止用端子の直上に接続を解除するための取外用孔とを備えたことを特徴とするハーネスジョイントボックスの電線差込確認構造。
【考案の詳細な説明】
【技術分野】
【０００１】
本考案はハーネスジョイントボックスの電線差込確認構造に関するものであって、更に詳細には、ハーネスジョイントボックスにおいて裸の電線を差込むことによりワンタッチで電気的接続をすると共にマーカーが露出して電気的接続したことを確認できる構造であり、取り外しも取外用孔にドライバー等を差し込むことによりワンタッチでできるハーネスジョイントボックスの電線差込確認構造に関するものである。
【背景技術】
【０００２】
従来から、これ等のハーネスジョイントボックス等の端子台において、電線の結線作業及び解除作業をワンタッチでするものや、結線状態を外から確認するものは開発されて使用されている。
【０００３】
例えば、先に開示されている、本体１の上下面に絶縁材のカバー５，６を一体に開閉自在に形成する。カバー５の両側には弾性を有する係合片７を形成する。カバー６に係合片７が挿入して係合する係合孔８を穿設する。カバー６には穴９を電線の心線の数に合わせて３つ穿孔している。電線１１はより線電線であり、３心構造である。電線１１の導体を圧着する圧着端子１３は棒型であり、その基部で導体１２と圧着する。圧着端子１３と電線１１の導体１２をかしめて接続し、圧着端子１３を本体１の穴２に挿入する。両カバー５，６を閉じて電線１１を挟持すると共に、係合片７を係合孔８に挿入して嵌合するもの（特許文献１参照）や、筐体２内部に導体挿入孔３に通ずる接続機構収納区画４と、導体接続確認機構収納区画５とを設け、前記接続機構収納区画４には導体挿入孔３ａ、３ｂの内壁の延長面に沿って接続端子板６を装着し、その対向位置に導体抜け止め片８と導体押圧片９とを導体挿入方向にそって順次装着し、前記導体接続確認機構収納区画５には、バネ１３によって付勢された楔運動方向変換機構１４を装着し、前記楔運動方向変換機構１４には表示面１９を有する接続確認表示片１８を一体に設けてなる構成としたもの（特許文献２参照）や、本体１に、電線の芯線を挿入するための電線挿入口４ａと、電線挿入口４ａから挿入された電線の芯線が接続される接続部５とを設けた端子台６である。接続部５に電線の芯線が正常に接続された状態でのみ芯線により作動されて芯線の接続状態を本体１の外面側において表示する表示釦７を設けるもの（特許文献３参照）等が開示されている。
【特許文献１】特開平５−２１１０４号公報
【特許文献２】特開平９−２８３１９２号公報
【特許文献３】特開平８−２６４２１７号公報
【考案の開示】
【考案が解決しようとする課題】
【０００４】
然し乍ら、先に開示された、本体１の上下面に絶縁材のカバー５，６を一体に開閉自在に形成する。カバー５の両側には弾性を有する係合片７を形成する。カバー６に係合片７が挿入して係合する係合孔８を穿設する。カバー６には穴９を電線の心線の数に合わせて３つ穿孔している。電線１１はより線電線であり、３心構造である。電線１１の導体を圧着する圧着端子１３は棒型であり、その基部で導体１２と圧着する。圧着端子１３と電線１１の導体１２をかしめて接続し、圧着端子１３を本体１の穴２に挿入する。両カバー５，６を閉じて電線１１を挟持すると共に、係合片７を係合孔８に挿入して嵌合するものでは、より電線を圧着端子に接続するものであり、確認用の穴も設けているが、ハーネスジョイントボックスには適用しないものである。
【０００５】
更に、筐体２内部に導体挿入孔３に通ずる接続機構収納区画４と、導体接続確認機構収納区画５とを設け、前記接続機構収納区画４には導体挿入孔３ａ、３ｂの内壁の延長面に沿って接続端子板６を装着し、その対向位置に導体抜け止め片８と導体押圧片９とを導体挿入方向にそって順次装着し、前記導体接続確認機構収納区画５には、バネ１３によって付勢された楔運動方向変換機構１４を装着し、前記楔運動方向変換機構１４には表示面１９を有する接続確認表示片１８を一体に設けてなる構成としたものでは、ワンタッチで接続でき、接続の確認もできるものの、筐体２の上下方向に導体を挿入するものであり、昨今汎用されているハーネスジョイントボックスような水平方向に薄い筐体に水平方向からの接続には不向きのものである。
【０００６】
更には、本体１に、電線の芯線を挿入するための電線挿入口４ａと、電線挿入口４ａから挿入された電線の芯線が接続される接続部５とを設けた端子台６である。接続部５に電線の芯線が正常に接続された状態でのみ芯線により作動されて芯線の接続状態を本体１の外面側において表示する表示釦７を設けるものでは、具体的に構成が記載されておらず不明であるが、接続及び取り外しはワンタッチで可能であり、接続の表示も外部から確認できるものであるが、構造が複雑なものである。
【課題を解決するための手段】
【０００７】
本考案のハーネスジョイントボックスの電線差込確認構造は、前述の課題に鑑み、鋭意研鑽の結果、上ケースと下ケースに三組の端子金具を内装すると共に電源側と送り側に夫々備えた電線挿通孔と少なくとも二組のハーネス栓刃を挿通させる栓刃挿通孔を備えたハーネスジョイントボックスにおいて、下ケースの電線挿通孔の延長線上の内方に設けたコイルスプリングを収納したコイルスプリング収納部と、コイルスプリング収納部の外方に設けたコイルスプリングが当接するスプリング用当接部と電線用当接部とマーカー押上部を設けたスライダーを収納したスライダー収納部と、スライダー収納部の外方に電線挿通孔に突出させて設けた端子金具から延設させた接触用端子と係止用端子とを収納する端子収納部と、上ケースの電線挿通孔の延長線上に設けたマーカーとマーカーに弾性を付与したマーカー用コイルスプリングとを収納するマーカー収納部と、係止用端子の直上に取外用孔とを備えたものである。
【考案の効果】
【０００８】
本考案のハーネスジョイントボックスの電線差込確認構造は、電線挿通孔に棒状の裸電線を挿通させて接触させることにより端子金具から延設した接触用端子と係止用端子とを弾性変形させることにより、ワンタッチで電気的接続ができ、接続の際に電線の先端で電線用当接部を押圧してスライダーをスライドさせて、スライダーのマーカー押上部はマーカーを押し上げ、マーカーはマーカー用コイルスプリングの弾性に抗して先端を上ケースの上に露出することにより、外部より接続状態が確認できるものであり、ハーネスジョイントボックスの接続の容易化と信頼性を向上させるものである。
【考案を実施するための最良の形態】
【０００９】
本考案はハーネスジョイントボックスの電線差込確認構造に関するものであって、更に詳細には、ハーネスジョイントボックス１において裸の電線Ａを差込むことによりワンタッチで電気的接続をすると共にマーカー７が露出して電気的接続したことを確認できる構造であり、取り外しも取外用孔にドライバー等を差し込むことによりワンタッチでできるハーネスジョイントボックスの電線差込確認構造に関するものであり、上ケース１ａと下ケース１ｂに三組の端子金具２を内装すると共に電源側と送り側に夫々備えた電線挿通孔３と少なくとも二組のハーネス栓刃を挿通させる栓刃挿通孔４を備えたハーネスジョイントボックス１において、前記下ケース１ｂの電線挿通孔３の延長線上の内方に設けた常時外方方向に弾性を付与するコイルスプリング５を収納したコイルスプリング収納部１ｂａと、該コイルスプリング収納部１ｂａの外方に設けたコイルスプリング５が当接するスプリング用当接部６ａと電線用当接部６ｂとマーカー押上部６ｃを設けたスライダー６を摺動可能に収納したスライダー収納部１ｂｂと、該スライダー収納部１ｂｂの外方に前記電線挿通孔３に突出させて設けた前記端子金具２から延設させた接触用端子２ａと係止用端子２ｂとを収納する端子収納部１ｂｃと、前記上ケース１ａの電線挿通孔３の延長線上に上下方向に移動可能に設けたマーカー７と該マーカー７を常時下方向に弾性を付与したマーカー用コイルスプリング７ａとを収納するマーカー収納部１ａａと、前記係止用端子２ｂの直上に接続を解除するための取外用孔８とを備えものである。
【実施例】
【００１０】
以下、本考案のハーネスジョイントボックスの電線差込確認構造の実施例の図面を用いて詳細に説明すると、図１は本考案のハーネスジョイントボックスの電線差込確認構造の４分岐型ハーネスの実施例を説明するための平面図であり、図２は本考案のハーネスジョイントボックスの電線差込確認構造の２分岐型ハーネスの実施例を説明するための上ケースを外した状態の平面図であり、図３は本考案のハーネスジョイントボックスの電線差込確認構造の実施例を説明するための要部断面図である。
【００１１】
即ち、本考案のハーネスジョイントボックス１は後述する電源側と送り側に夫々備えた電線挿通孔３に銅線の３芯のケーブルの先端を裸電線Ａにして挿通させるか、より線の３芯のケーブルの先端に棒型圧着端子を接続して挿通させるもので、分岐するハーネスプラグの栓刃を挿通させる栓刃挿通孔４は内側に後述する端子金具２から延設した刃受部を備えたもので少なくとも二組設けており、図１又は図２に図示する如く、実施例では４組の栓刃挿通孔４又は２組の栓刃挿通孔４を有するものである。
【００１２】
そして、絶縁性の合成樹脂で形成した上ケース１ａと下ケース１ｂの間に銅製の三組の端子金具２を内装しているものであり、夫々の端子金具２には後述する接触用端子２ａと係止用端子２ｂ及び前記刃受部を備えたもので、周知のハーネスジョイントボックス１と同様のものである。
【００１３】
次に、コイルスプリング収納部１ｂａは下ケース１ｂの電線挿通孔３の延長線上の内方に設けているもので、図３に図示する如く、下ケース１ｂの電源側と送り側との夫々の電線挿通孔３の中央にスプリング用固定部を設けコイルスプリング５を収納しているもので、コイルスプリング５は常時外方方向に弾性を付与させるようにしており、後述するスライダー６のスプリング用当接部６ａを弾圧するものである。
【００１４】
次いで、スライダー収納部１ｂｂはコイルスプリング収納部１ｂａの外方に設けており、スライダー６を摺動可能に収納しているもので、スライダー６は図３に図示する如く、コイルスプリング５に弾圧される断面コ字状のスプリング用当接部６ａと、電線Ａの挿通に伴い先端が当接して押圧される電線用当接部６ｂと、後述するマーカー７を押し上げる内側方向が低く外側方向が高いテーパー面を備えたマーカー押上部６ｃを形成しているものである。
【００１５】
更に、端子収納部１ｂｃはスライダー収納部１ｂｂの外方に設けているもので、端子金具２から延設させた電線Ａと接触して電気的接続を行う接触用端子２ａと、電線Ａを係止させる係止用端子２ｂとを電線挿通孔３の内径より中心方向に突出させているもので、図３に図示する如く、接触用端子２ａは側面略２字状に形成しており、係止用端子２ｂは電線Ａの抜ける方向に食い込むように傾斜させているものである。
【００１６】
更には、マーカー収納部１ａａは上ケース１ａの電線挿通孔３の延長線上に設け、マーカー７とマーカー用コイルスプリング７ａとを収納しており、マーカー７は上下方向に移動可能なもので、マーカー用コイルスプリング７ａはマーカー７を常時下方向に弾性を付与しており、マーカー７の下端は前記スライダー６のマーカー押上部６ｃの上方に突出させた状態を維持させているものである。
【００１７】
そして、取外用孔８は上ケース１ａの係止用端子２ｂの直上に穿設しているもので、取外用孔８にドライバー等の刃先を挿通させて係止用端子２ｂを下方に押圧することで、接続を解除するためのものである。
【００１８】
つまり、本考案のハーネスジョイントボックスの電線差込確認構造は、ハーネスジョイントボックス１の電線挿通孔３に棒状の電線Ａを挿通させることにより、端子金具２に延設された接触用端子２ａと係止用端子２ｂとを弾性変形させながら押し下げ、更に挿通させることにより、電線Ａの先端は電線用当接部６ｂに当接してスライダー６を押圧し、スライダー６はコイルスプリング５の弾性に抗してスライドするものである。
【００１９】
そして、スライダー６のスライドにより前記マーカー押上部６ｃがマーカー７の下端を押し上げ、マーカー７はマーカー用コイルスプリング７ａの弾性に抗して上ケース１ａの上に露出するものである。
【００２０】
この状態で、係止用端子２ｂは電線Ａの胴周を先端で係止しているものであり、接触用端子２ａと共に電気的接続が維持され、上ケース１ａにはマーカー７が露出して接続状態の確認が容易にできるものである。
【００２１】
更に、電気的接続を解除するには上ケース１ａの係止用端子２ｂの直上に穿設した取外用孔８にドライバー等を挿通させて係止用端子２ｂを押圧して取り外すものであり、スライダー６はコイルスプリング５に押圧されて取り外した状態の図３に図示する左側の状態に戻るものである。
【産業上の利用可能性】
【００２２】
本考案のハーネスジョイントボックスの電線差込確認構造は、棒状の電線Ａを挿通させるだけでワンタッチで電気的接続を行えると共、マーカーにより電気的接続の状態が容易に確認でき、取り外しも取外用孔８にドライバー等を挿通させるだけでワンタッチで行えるもので、床配線等の配線作業を容易とするものである。
【図面の簡単な説明】
【００２３】
【図１】図１は本考案のハーネスジョイントボックスの電線差込確認構造の４分岐型ハーネスの実施例を説明するための平面図である。
【図２】図２は本考案のハーネスジョイントボックスの電線差込確認構造の２分岐型ハーネスの実施例を説明するための上ケースを外した状態の平面図である。
【図３】図３は本考案のハーネスジョイントボックスの電線差込確認構造の実施例を説明するための要部断面図である。
【符号の説明】
【００２４】
Ａ      電線
１      ハーネスジョイントボックス
１ａ    上ケース
１ａａ  マーカー収納部
１ｂ    下ケース
１ｂａ  コイルスプリング収納部
１ｂｂ  スライダー収納部
１ｂｃ  端子収納部
２      端子金具
２ａ    接触用端子
２ｂ    係止用端子
３      電線挿通孔
４      栓刃挿通孔
５      コイルスプリング
６      スライダー
６ａ    スプリング用当接部
６ｂ    電線用当接部
６ｃ    マーカー押上部
７      マーカー
７ａ    マーカー用コイルスプリング
８      取外用孔
【図１】
0003107322.tif 000003
【図２】
0003107322.tif 000004
【図３】
0003107322.tif 000005